(57)【要約】【課題】電動ウインチの作動を回転数で制御することにより、天候や気温等が変化しても常に適切な飼育、栽培環境が得られるようにする開閉部材の開閉調整を、自動的に的確に行わせることができる動物飼育舎、植物栽培舎等における開閉部材の開閉調整装置を提供すること。【解決手段】動物飼育舎、植物栽培舎１等に設けた開口部２に開閉部材３を設けて、この開閉部材３を電動ウインチ４により作動させて開閉調整を行う装置Ａにおいて、上記電動ウインチ４に回転数の検知手段５を設け、この検知手段５により開閉部材３の開度に対応する電動ウインチ４の回転数を検出させて、この回転数により電動ウインチ４の作動を制御させて、開閉部材４の自動的な開閉調整を行うようにしたこと。【選択図】図１
2005073620.tif 000002
【特許請求の範囲】
【請求項１】
動物飼育舎、植物栽培舎等に設けた開口部に開閉部材を設けて、この開閉部材を電動ウインチにより作動させて開閉調整を行う装置において、
上記電動ウインチに回転数の検知手段を設け、この検知手段により開閉部材の開度に対応する電動ウインチの回転数を検出させ、
この回転数により電動ウインチの作動を制御させて、開閉部材の自動的な開閉調整を行うようにした
ことを特徴とする動物飼育舎、植物栽培舎等における開閉部材の開閉調整装置。
【発明の詳細な説明】
【技術分野】
【０００１】
本発明は、動物飼育舎、植物栽培舎等における開閉部材の開閉調整装置に関する。
【背景技術】
【０００２】
従来、動物飼育舎等における開閉部材を開閉調整する装置は、動物飼育舎等が有する開口部に開閉部材を設けて、この開閉部材を電動ウインチにより作動させ開口部の開閉調整を行うようにしている。（例えば、特許文献１参照）。
【特許文献１】特開平８−３０８４１３号公報（第３頁〜第４頁、図１）
【０００３】
しかしながら、上記装置は電動ウインチにより作動される開閉部材を希望する開度において自動停止させる機能を有しないため、天候や気温等が変化しても常に適切な飼育、栽培環境が得られるようにする開閉部材の開閉調整を人手によって行わなければならない問題点がある。
【発明の開示】
【発明が解決しようとする課題】
【０００４】
本発明は前記問題点を解消し、電動ウインチの作動を回転数で制御することにより、天候や気温等が変化しても常に適切な飼育、栽培環境が得られるようにする開閉部材の開閉調整を自動的に的確に行わせることができる動物飼育舎、植物栽培舎等における開閉部材の開閉調整装置を提供することをその課題とする。
【課題を解決するための手段】
【０００５】
前記課題を解決するため、本発明に係る動物飼育舎、植物栽培舎等における開閉部材の開閉調整装置は、下記の構成を採用することを特徴とする。
動物飼育舎、植物栽培舎等に設けた開口部に開閉部材を設けて、この開閉部材を電動ウインチにより作動させて開閉調整を行う装置において、
上記電動ウインチに回転数の検知手段を設け、この検知手段により開閉部材の開度に対応する電動ウインチの回転数を検出させ、
この回転数により電動ウインチの作動を制御させて、開閉部材の自動的な開閉調整を行うようにしたこと。
【発明の効果】
【０００６】
開閉部材の開度に対応する電動ウインチの回転数を検知して、この回転数の選択したもので電動ウインチの作動を制御するため、天候や気温等が変化しても常に適切な飼育、栽培環境が得られる開閉部材の開閉調整を自動的に的確に行うことができる。
【０００７】
電動ウインチの回転数を制御値として開閉部材の開閉調整を行うため、細かい開度の変更が容易確実に行われるだけでなく、開度の多種多様な設定も可能であって、開閉部材の設備、保守管理も経済的に行える。
【０００８】
制御系に温度、湿度等の検知手段を組み入れて、これら検知手段が検知する温度、湿度等の変化で電動ウインチを起動させれば、前記変化に対処した開閉部材の開閉操作も自動的に的確に行われる。
【発明を実施するための最良の形態】
【０００９】
以下に本発明に係る動物飼育舎、植物栽培舎等における開閉部材の開閉調整装置の実施形態を図面に基づいて説明する。
【実施例１】
【００１０】
図１において符号Ａ−１は、幕状開閉部材を巻き上げて開口部を開く開閉調整装置を示す。この開閉調整装置Ａ−１は、動物飼育舎、植物栽培舎１に設けた開口部２に開閉部材３を設け、この開閉部材３を電動ウインチ４により作動させて開閉調整を行うものであって、上記電動ウインチ４には開閉部材３の開度に対応する電動ウインチ４の回転数を検知する検知手段５を設け、この検知手段５が検知した回転数で電動ウインチ４の作動を制御することにより、開閉部材３の自動的な開度調整が行なえるようにしたものである。
【００１１】
開閉部材３は巻軸６へ巻き着けた幕状の物を用いて、先端を開口部２の上側へ止め着け
、巻軸６を開閉部材３の解き出し方向へ回転させると、開閉部材３が解き出されて開口部２を閉じ、巻軸６を開閉部材３の巻き取り方向へ回転させると、開閉部材3が巻き取られて開口部２を開くようにしたものであって、巻軸6の一端には中央部と両端に開閉部材３の巻層に応じた直径差を付け、左半分と右半分に図３の通り反対捩れの螺旋溝７と８を形成したドラム９が取り付けられる。
【００１２】
開閉部材３を作動させる電動ウインチ４は、上記ドラム９の側方に配置して、巻取ドラム１０にワイヤ１１を巻着し、このワイヤ１１を上方に配置したローラ１２を迂回させてドラム９へ導き、ドラム９の一方の螺旋溝８へ巻着する。また、ドラム９の他方の螺旋溝７にはワイヤ１３を巻着して、このワイヤ13の他端を止め部材14により地面等へ固定する。
【００１３】
上記の通りワイヤ１１と１３をドラム９へ巻着して、電動ウインチ４の巻取ドラム１０をワイヤ１１の巻き取り方向へ回転させると、ワイヤ１１が引き上げられてドラム９を回転させるため、開閉部材３が巻軸６に巻き取られるとともに、ドラム９の螺旋溝７に巻着したワイヤ１３が解き出されるので、巻軸６は開閉部材3を巻き取りながら上昇して開口部２を開く。しかし、電動ウインチ４の巻取ドラム１０をワイヤ１１の解き出し方向へ回転させると、ワイヤ１１が下げ降ろされてドラム９を逆回転させるため、開閉部材３が巻軸６から解き出されるとともに、ドラム９の螺旋溝７に巻着したワイヤ１３が巻き取られ
るので、巻軸６は開閉部材3を解き出しながら下降して開口部２を閉じる。
【００１４】
電動ウインチ４の回転数を検知する検知手段５は、図２に示す通り、ドラム軸１５の周囲へ２個の検出子１６を対応的に取り付け、これら検出子１６に電動ウインチ４に固定したセンサ１７を対応させて、検出子１６がセンサ１７に正対する都度、検知信号をカウンタ１８へ出力してウインチドラム１０の回転数を１／２回転の単位で検出させる。
【００１５】
なお、回転数を検知する精度は、上記の通り１／２回転の単位とすることなく、軸１５に取り付ける検出子１６の数を1個にして１回転の単位としたり、必要に応じては巻取ドラム１０のフランジ、或いは、ドラム軸１５に取り付けた取付板（図面省略）等へ３個以上の検出子１６を取り付けて、一回転を更に細分した単位で検出するようにしてもよい。
【００１６】
上記の通り検知手段５で検知される電動ウインチ４の回転数と、開閉部材３の開度とは対応するものであるから、開閉部材3の開閉調整を行って開閉部材３が希望する開度に調整される都度、電動ウインチ４の回転数を確認記録して置いて、この回転数を後記制御器の設定部へ設定し、この回転数の選択したものによって電動ウインチ４の作動を制御するようにする。
【００１７】
電動ウインチ４の作動を制御する制御器１９は、設定部２０に希望する開閉部材３の開度に対応する回転数を制御値として設定して置き、これら制御値の中から状況に応じて適当な回転数を選択し、選択した回転数によって電動ウインチ４の回転を制御させるようにする。
【００１８】
なお、制御器１９は、温度、湿度等の検知手段２１を組み込んで、これら検知手段２１により温度や湿度の変化が生じた場合、電動ウインチ４を起動させてその停止を回転数の設定値に基づいて行わせるようにすれば、温度や湿度の変化に応じた開閉部材３の開閉調整も自動的に行われる。
【００１９】
上記実施例１に示す開閉調整装置Ａ−１は、制御器１９の設定部２０に開閉部材３の希望する開度に対応した回転数を設定して置いて、これら設定回転数の中から必要とする回転数を選択し、選択した回転数によって電動ウインチ４の作動制御が行われるようにすれば、開閉部材３が希望する開度に調整されたとき、電動ウインチ４を停止させて開閉部材３を希望通りの開度に自動調整することができる。
【００２０】
また、温度や湿度等の変化に応じて、開閉部材３の開閉調整を行う必要があるときは、希望する開度に応じた回転数を設定部２０に設定すると共に、温度、湿度等の検出手段２１が変化を検出すると電動ウインチ４を起動させるように設定しておけば、温度や湿度の変化に伴い開口部２の開度を自動的に調整することができる。
【実施例２】
【００２１】
図５において符号Ａ−２は、幕状の開閉部材を巻き下げて開口部を開く開閉調整装置を示す。この開閉調整装置Ａ−２は、動物飼育舎、植物栽培舎１に設けた開口部２に開閉部材３を設け、この開閉部材３を電動ウインチ４により作動させて開閉調整を行うものであって、上記電動ウインチ４には開閉部材３の開度に対応する電動ウインチ４の回転数を検知する検知手段５を設け、この検知手段５が検知した回転数で電動ウインチ４の作動を制御することにより、開閉部材３の自動的な開度調整が行なえるようにした基本構成は実施例１と同じである。
【００２２】
しかし、巻軸６へ巻き着けた幕状の開閉部材３の使用状態が相違する。開閉部材３はその巻軸６を開口部２の下側へ回転自在に定置して置き、この巻軸６を開閉部材３の解き出し方向へ回転させると、開閉部材３の解き出しに伴い上縁部２２がワイヤ１１により引き上げるため開口部２は閉じられ、巻軸６を開閉部材３の巻き取り方向へ回転させると、開閉部材３の巻き取りに伴い上縁部２２がワイヤ１１により下げ降ろされて開口部２を開くようにしてある。
【００２３】
なお、上縁部２２が移動する開閉部材３は揺れを起こし易い。このため、開閉部材３の外側に上端を止め部材２３により開口部２の上側へ止め、下端を巻軸６の受部材２４へ止めた揺れ止め索２５を張って、この揺れ止め索２５により開閉部材３の揺れを抑えるようにする。
【００２４】
上記開閉部材３を作動させる電動ウインチ４は、巻軸６の側方に配置してドラム軸１５の一端を巻軸６へ直結し、巻取ドラム１０にはワイヤ１１を巻着して、このワイヤ１１を上方に配置したローラ１２を迂回させて下方へ導き、開閉部材３の上縁部２２へ連結する
。そして、電動ウインチ４で巻軸６を開閉部材６の巻き取り方向へ回転させると、巻軸６による開閉部材３の巻き取りに伴い、巻取ドラム１０がワイヤを解き出して開閉部材３の上縁部２２を下降させるため開口部２が開かれる。しかし、電動ウインチ４で巻軸６を開閉部材６の解き出し方向へ回転させると、巻軸６による開閉部材３の解き出しに伴って、巻取ドラム１０がワイヤ１１を巻き取って開閉部材３の端縁部２２を上昇させるため開口部２が閉じられる。
【００２５】
この実施例も電動ウインチ４の作動で開閉部材３の開閉調整を行うとき、希望する開閉部材３の開度に対応した電動ウインチ４の回転数を選択して、制御器１９を作動させるようにすれば、開閉部材３が希望する開度に開閉調整されたとき、電動ウインチ４を停止させて希望通りの開閉調整を自動的に行うことができる。
【実施例３】
【００２６】
図６において符号Ａ−３は、実施例１と、実施例２とを併用して開口部の上部と下部の両方を開閉させる開閉調整装置を示す。この開閉調整装置Ａ−３は、動物飼育舎、植物栽培舎１の開口部２の下半部に実施例１に示した開閉調整装置Ａ−１を配置し、上半部に実施例２に示した開閉調整装置Ａ−２を配置したものであって、開口部２の下半部では幕状の開閉部材３の巻き上げにより開口部２の下側を開いて、巻き下げにより閉じ、上半部では幕状の開閉部材３の巻き下げにより開口部２の上側を開いて、巻き上げにより閉じるものであって、構造及び作用等は実施例１及び実施例２と同じであるので、詳細な説明は省略する。
【実施例４】
【００２７】
図７において符号Ａ−４は、開戸の開閉部材を回動させて開口部２を開く開閉調整装置の実施例を示す。この実施例は動物飼育舎、植物栽培舎１に設けた開口部２に開閉部材３を設けて、この開閉部材３を電動ウインチ４により作動させ、開閉の調整を行うものであって、上記電動ウインチ４には開閉部材３の開度に対応する電動ウインチ４の回転数の検知手段５を設け、この検知手段５が検知した回転数で電動ウインチ４の作動を制御させることにより、開閉部材３の自動的な開度調整が行なえるようにした基本構成は実施例１と同じである。
【００２８】
しかし、開閉部材３は構造が異なる開戸を用いる。開戸の開閉部材３は、下端を動物飼育舎、植物栽培舎１に設けた開口部２の下側へ蝶番２６により取付けて、傾斜枠２７により少し外側へ傾かせるようにしてあり、蝶番２６を中心として外方へ回動させると開口部２が開かれ、内方へ回動させると開口部２が閉じられる。
【００２９】
上記開閉部材３を作動させる電動ウインチ４は、開閉部材３の側方に配置して巻取ドラム１０に巻着したワイヤ１１を、開閉部材３の上方に設けたローラ１２と傾斜枠２７に取付けたローラ２８を迂回させて開閉部材３の裏側へ導き、開閉部材３の背面上部へ連結する。そして、電動ウインチ４の巻取ドラム１０をワイヤ１１の解き出し方向とへ回転させると、開閉部材３が外方へ回動して開口部２を開き、巻取ドラム１０をワイヤ１１の巻き取り方向へ回転させると、開閉部材３は内方へ回動して開口部２を閉じる。
【００３０】
なお、開戸の開閉部材３は、上記とは反対に上端を蝶番２６により開口部２の上側へ止め着けて、下側を回動させて開口部２の開閉調整をするようにしてもよい。
【００３１】
この実施例も電動ウインチ４の作動で開閉部材３の開閉調整を行うとき、希望する開閉部材３の開度に対応した電動ウインチ４の回転数を選択して制御器１９を作動させるようにすれば、開閉部材３が希望する開度に開閉調整されたとき、電動ウインチ４を停止させて希望通りの開閉調整を自動的に行うことができる。
【実施例５】
【００３２】
図８において符号Ａ−５は、引違戸の開閉部材３を移動させて開口部２を開く開閉開度調整装置を示す。この装置Ａ−５も動物飼育舎、植物栽培舎１に設けた開口部２に開閉部材３を設け、この開閉部材３を電動ウインチ４により作動させて開閉調整を行うものであって、上記電動ウインチ４には開閉部材３の開度に対応する電動ウインチ４の回転数の検知手段５を設け、この検知手段５が検知した回転数で電動ウインチ４の作動を制御させることにより、開閉部材３の自動的な開度調整が行なえるようにした基本構成は実施例１と同じである。
【００３３】
しかし、開閉部材３は構造が異なる引違戸を用いる。引違戸の開閉部材３は、動物飼育舎、植物栽培舎１の開口部２に取り付けた窓枠２９へ２枚の開閉部材３−１、３−２を移動自在に取り付けて、開閉部材３−１、３−２を内方へ移動させると開口部２が開かれ、外方へ移動させると開口部２が閉じられるようにする。
【００３４】
上記開閉部材３を作動させる電動ウインチ４は、窓枠２９の一側へドラム軸１５が前後方向を向くように配置し、窓枠２９の他側には軸３０が前後方向へ向くようにローラ３１を配置する。そして、電動ウインチ４の巻取ドラム１０とローラ３１とに、巻取ドラム１０へ巻着したワイヤ３２をエンドレスに懸装して、ワイヤ３２の上側には左側の開閉部材３−１に取付けた開閉軸３３−１を止め着け、ワイヤ３０の下側には右側の開閉部材３−２に取付けた開閉軸３３−２を止め着ける。
【００３５】
上記の通り開閉軸３３−１、３３−２をワイヤ３２へ止め着けて、電動ウインチ４の巻取ドラム１０を時計方向へ回転させると、ワイヤ３２の上側は図８に矢印で示す通り右方へ移動し、下側は左方へ移動して開閉軸３３−１、３３−２を同方向へ引っ張る。このため、開閉部材３−１、３−２はそれぞれ内方へ移動して開口部２を開く。しかし、巻取ドラム１０を半時計方向へ回転させると、ワイヤ３０の上側と下側は矢印とは反対の方向へ移動して、開閉軸３３−１、３３−２を同方向へ引っ張るため、開閉部材３−１、３−２はそれぞれ外方へ移動して開口部２を閉じる。
【００３６】
この装置Ａ−５も電動ウインチ４の作動で開閉部材３の開閉調整を行うとき、希望する開閉部材３の開度に対応した電動ウインチ４の回転数を選択して制御器１９を作動させるようにすれば、開閉部材３が希望する開度に開閉調整されたとき、電動ウインチ４を停止させて希望通りの開閉調整を自動的に行うことができる。
【産業上の利用可能性】
【００３７】
動物飼育舎、植物栽培舎等に設けた開口部を開閉させる開閉部材を希望する開度に開閉調整する操作を自動的に行わせるのに適用できる。
【図面の簡単な説明】
【００３８】
【図１】動物飼育舎、植物栽培舎等の開閉部材を開閉調整する装置の実施例１を示す一部分の正面図である。
【図２】同上の電動ウインチとこれに付設した回転数検出手段を示す正面図である。
【図３】開閉部材の巻軸に固定したドラムの正面図である。
【図４】電動ウインチの作動を制御する制御系を示すブロック図である。
【図５】動物飼育舎、植物栽培舎等の開閉部材を開閉調整する装置の実施例２を示す一部分の正面図である。
【図６】動物飼育舎、植物栽培舎等の開閉部材を開閉調整する装置の実施例３を示す一部分の正面図である。
【図７】動物飼育舎、植物栽培舎等の開閉部材を開閉調整する装置の実施例４を示す一部分の縦断側面図である。
【図８】動物飼育舎、植物栽培舎等の開閉部材を開閉調整する装置の実施例５を示す正面図である。
【符号の説明】
【００３９】
Ａ  開閉部材の開閉調整装置
１  動物飼育舎、植物栽培舎
２  開口部
３  開閉部材
４  電動ウインチ
５  回転数検出手段
【図１】
2005073620.tif 000003
【図２】
2005073620.tif 000004
【図３】
2005073620.tif 000005
【図４】
2005073620.tif 000006
【図５】
2005073620.tif 000007
【図６】
2005073620.tif 000008
【図７】
2005073620.tif 000009
【図８】
2005073620.tif 000010